(57)【要約】      （修正有）【課題】刃部を砥ぐことにより何度でもメンテナンス可能なペーパーカッターおよびそのメンテナンス方法を提供する。【解決手段】ペーパーカッター１は、挿入部、及び、挿入部の上方から挿入部に対して先端を略直角方向に延伸させたガイド突起１２を一体成型し、挿入部とガイド突起とが交差する位置に、これら両者に斜め方向を成すように刃部１４を設けた刃物部１０と、外面と内面とを有し、内面に凹部構造を形成した、同形の第１の把持板５１Lおよび第２の把持板５１Rと、第１の把持板および第２の把持板の各々の内面を合わせて、各々の外面側から両把持板を貫通させて固定し、収納ケースを形成する複数のビス１００と、を備える。複数のビスによる固定を解除して、刃物部と第１の把持板と第２の把持板とに解体し、刃物部の刃部を研磨してメンテナンス可能である。【選択図】図１
2016221032.tif 000002
【特許請求の範囲】
【請求項１】
下端部を有する挿入部、および、該挿入部の上方から該挿入部に対して先端を略直角方向に延伸させたガイド突起を一体成型し、該挿入部と該ガイド突起とが交差する位置に、これら両者に斜め方向を成すように刃部を設けた刃物部と、
外面と内面とを有し、該内面に凹部構造を形成した、同形の第１の把持板および第２の把持板と、
前記第１の把持板および前記第２の把持板の各々の前記内面を合わせて、各々の前記外面側から両把持板を貫通させて固定し、収納ケースを形成する複数のビスと、
を備え、
前記刃物部の挿入部を、前記第１の把持板および前記第２の把持板の内面に形成した前記凹部構造間に挟持させ、両把持板を前記複数のビスにより固定して、前記収納ケースに該刃物部を収納するペーパーカッターであって、
前記複数のビスによる固定を解除して、前記刃物部と前記第１の把持板と前記第２の把持板とに解体し、該刃物部の刃部を研磨してメンテナンス可能な、ペーパーカッター。
【請求項２】
前記第１の把持板および前記第２の把持板の内面に形成した前記凹部構造が、前記収納ケース内に収納構造を形成し、
該収納構造は、
前記ガイド突起を収納するためのガイド突起収納構造と、
前記刃部を収納するための刃部収納構造と、
前記挿入部を上下に摺動可能に収納するための、下底部を有する挿入部収納構造と、
を有し、
前記収納ケース内に形成した前記挿入部収納構造は、前記刃物部の挿入部を摺動自在に出し入れするための開口部を該収納ケースの表面に、挿入通路と前記下底部とを該収納ケースの内部に有し、
前記ガイド突起収納構造及び刃部収納構造は、前記挿入部の下端部を該挿入部収納構造の下底部まで下方に摺動させて収納した収納状態で、それぞれ前記ガイド突起の少なくとも先端及び前記刃部を収納し得る、
請求項１に記載のメンテナンス可能なペーパーカッター。
【請求項３】
前記刃物部の挿入部は、その下端部からストッパーを該挿入部と直角方向に突設させ、
前記下底部を有する挿入部収納構造は、該挿入部を上下に摺動させる際に、該ストッパーが該下底部から上底部間を摺動可能な、該下底部と該上底部により画される空洞部を有し、
該刃物部を上方に引き出して、該ストッパーを該空洞部の該上底部に係止させることにより、該刃物部を使用状態とし、
該刃物部を下方に摺動させて、該ストッパーを該空洞部の該下底部にまで押し込むことにより、該刃物部を収納状態とする、
請求項２に記載のメンテナンス可能なペーパーカッター。
【請求項４】
前記刃物部の挿入部は、その下端部からストッパーを該挿入部と直角方向に突設させ、
前記下底部を有する挿入部収納構造は、該挿入部を上下に摺動させる際に、該ストッパーが該下底部から上底部間を摺動可能な、該下底部と該上底部により画される空洞部を有し、
前記空洞部の上底部と前記刃物部のストッパー間で、該刃物部の挿入部にバネを巻付けて該空洞部に該バネを封止し、
該刃物部の下端部から突設させた該ストッパーを、該空洞部の下底部にまで押し込んだ前記収納状態で自然長乃至は自然長より収縮した該バネを、
該刃物部を上方に引き出して該バネを収縮させて、該刃物部を使用状態とする、
請求項３に記載のメンテナンス可能なペーパーカッター。
【請求項５】
前記刃物部の挿入部は、前記複数のビスのうちの一のビスを貫通させる中空窓を有し、
該中空窓は、上下に上端部と下端部と、該上端部と該下端部間で、貫通させた該一のビスが移動可能となる移動路と、から構成され、
前記収納ケースは、該一のビスを該中空窓の移動路に貫通させて、前記収納ケースの外部から該一のビスを固定することにより、前記挿入部収納構造内で該挿入部を上下に移動自在に挟持し、
該刃物部を上方に引き出して、該一のビスを該中空窓の該下端部に係止させることにより、該刃物部を使用状態とし、
該刃物部を下方に案内して、該一のビスを該中空窓の該上端部に係止させることにより、該刃物部を収納状態とする、
請求項２に記載のメンテナンス可能なペーパーカッター。
【請求項６】
前記収納ケースを非磁化材料で形成し、前記刃物部を磁化可能な材料として、該収納ケースの前記挿入部収納構造の下方に磁石を埋め込み、前記刃物部を使用状態から自動的に収納状態に復帰させるようにした、請求項２乃至請求項５のいずれか１項に記載のメンテナンス可能なペーパーカッター。
【請求項７】
前記刃物部の挿入部は、前記複数のビスのうちの一のビスを貫通させるビス貫通孔を有し、
該挿入部の下端部は、ビス貫通孔を中心とした半円形状であり、
前記収納ケースは、該一のビスを該ビス貫通孔に貫通させて、前記収納ケースの外部から該一のビスを固定することにより、前記挿入部収納構造内で、該一のビスを中心にして該挿入部を回動自在に挟持し、
前記ガイド突起の先端及び前記刃部を、それぞれ前記ガイド突起収納構造及び前記刃部収納構造に収納した収納状態から、該ガイド突起を上方に引き出すと共に該挿入部を該挿入部収納構造内で回動させることにより、該刃物部を使用状態とする、
請求項２に記載のメンテナンス可能なペーパーカッター。
【請求項８】
挿入部、および、該挿入部の上方から該挿入部に対して先端を略直角方向に延伸させたガイド突起を一体成型し、該挿入部と該ガイド突起とが交差する位置に、これら両者に斜め方向を成すように刃部を設けた刃物部と、
外面と内面とを有し、該内面に凹部構造を形成した、同形の第１の把持板および第２の把持板と、
前記第１の把持板および前記第２の把持板の各々の前記内面を合わせて、各々の前記外面側から両把持板を貫通させて固定し、収納ケースを形成する複数のビスと、
を備え、
前記刃物部の挿入部を、前記第１の把持板および前記第２の把持板の内面に形成した前記凹部構造間に挟持させ、両把持板を前記複数のビスにより固定して、前記収納ケースに該刃物部を収納するペーパーカッターのメンテナンス方法であって、
（Ｓ１）前記ペーパーカッターを準備するステップと、
（Ｓ２）前記複数のビスによる固定を解除して、前記刃物部を、前記第１の把持板と前記第２の把持板間から取り出すステップと、
（Ｓ３）前記取り出した刃物部の、前記挿入部と前記ガイド突起とが交差する位置に設けた前記刃部に、砥石を当てて該刃部を研磨するステップと、
を含む、ペーパーカッターのメンテナンス方法。
【発明の詳細な説明】
【技術分野】
【０００１】
本発明は、メンテナンス可能なペーパーカッターおよびそのメンテナンス方法に関する。
【背景技術】
【０００２】
従来、封筒、封書を開封するために、ナイフや鋏など刃物を利用する他、様々な開封用ペーパーカッターが開発され、市販されている。
【０００３】
一般に刃物の切れ味は半永久的に持続するものではなく、砥ぎのメンテナンスをしてその切れ味を蘇生させる必要がある。しかし、従来の開封用ペーパーカッターは、刃部を砥いでメンテナンスし、半永久的に使用することを想定したものは少なく、安価で使い捨てのものが多い。
【０００４】
例えば、図１２（ａ）、図１２（ｂ）のように、小刃２０１を押し当てながらスライドさせて封筒５００を開封する開封用ペーパーカッターが周知である。また、図１２（ａ）の開封用ペーパーカッターは、ガイド突起２１０を封筒５００の開口部の隙間に差し込んで、刃２０２で開封することもできる。
【０００５】
一方、特許文献１には、刃部材を容易に交換可能な封筒開封具が開示されており、図１３に示すように、刃部材２０３をケース本体内に移動自在に操作できると共に、使用した先端側の刃を折り捨てることにより新しい刃に交換することができる。この封筒開封具は載置型であり、ケース本体の斜側部に設けた溝状ガイドから刃部材２０３を突出させ、封筒の開口部を当該溝状ガイドに沿ってスライドさせ、刃部材２０３により開封する。
【０００６】
また、図１４（ｂ）のような上記と同様な溝状ガイドを利用した、手動式の開封用カッターが特許文献２に開示されており、図１４（ａ）のように、溝状ガイドで封筒５００の開口部を挟んでスライドさせ、溝状ガイド内で突出させた刃２０２により開封を行う。
【０００７】
しかし、これらの溝状ガイドを利用したタイプの開封用ペーパーカッターを用いて、封筒５００の開口部を折目に沿って綺麗に開封させるには経験を必要とし、図１２（ａ）の開封用ペーパーカッターのように、ガイド突起２１０を封筒５００の開口部の隙間に差し込んで開封する方が慣れない者にも使いやすい。すなわち、ガイド突起２１０を備えるペーパーカッターであれば、初心者であっても、綺麗に折目に沿って封筒５００を開封させることが容易である。
【０００８】
このようなガイド突起２１０を備えた開封用ペーパーカッターは、ガイド突起２１０の尖った先端が外部に出ていて、幼児や子供には危険な場合もあるが、特許文献３に開示された開封器（図１５参照）は、案内板（ガイド突起２１０）を突設させた刃物部２０５を収納ケース内に収納し得るようにして、この問題を解決している。しかし、この開封器の刃は、刃物部２０５に突設させた案内板（ガイド突起２１０）の根本部に凹状に設けられており、刃を砥いでメンテナンス可能には構成されていない。
【０００９】
【特許文献１】特開２００７−１１２１１０号公報
【特許文献２】特開平７−２８４５７４号公報
【特許文献３】実開平６−３９４９８号公報
【発明の概要】
【発明が解決しようとする課題】
【００１０】
そこで本発明は、ガイド突起を備えると共に、刃部を砥ぐことにより何度でもメンテナンス可能な高級感あるペーパーカッターおよびそのメンテナンス方法を提供することを目的とする。
【課題を解決するための手段】
【００１１】
本発明に係るメンテナンス可能なペーパーカッターは、下端部を有する挿入部、および、該挿入部の上方から該挿入部に対して先端を略直角方向に延伸させたガイド突起を一体成型し、該挿入部と該ガイド突起とが交差する位置に、これら両者に斜め方向を成すように刃部を設けた刃物部と、外面と内面とを有し、該内面に凹部構造を形成した、同形の第１の把持板および第２の把持板と、前記第１の把持板および前記第２の把持板の各々の前記内面を合わせて、各々の前記外面側から両把持板を貫通させて固定し、収納ケースを形成する複数のビスと、を備え、
前記刃物部の挿入部を、前記第１の把持板および前記第２の把持板の内面に形成した前記凹部構造間に挟持させ、両把持板を前記複数のビスにより固定して、前記収納ケースに該刃物部を収納するペーパーカッターであって、
前記複数のビスによる固定を解除して、前記刃物部と前記第１の把持板と前記第２の把持板とに解体し、該刃物部の刃部を研磨してメンテナンス可能である。
【００１２】
本発明に係るメンテナンス可能なペーパーカッターは、前記第１の把持板および前記第２の把持板の内面に形成した前記凹部構造が、前記収納ケース内に収納構造を形成し、該収納構造は、
前記ガイド突起を収納するためのガイド突起収納構造と、前記刃部を収納するための刃部収納構造と、前記挿入部を上下に摺動可能に収納するための、下底部を有する挿入部収納構造と、を有し、
前記収納ケース内に形成した前記挿入部収納構造は、前記刃物部の挿入部を摺動自在に出し入れするための開口部を該収納ケースの表面に、挿入通路と前記下底部とを該収納ケースの内部に有し、
前記ガイド突起収納構造及び刃部収納構造は、前記挿入部の下端部を該挿入部収納構造の下底部まで下方に摺動させて収納した収納状態で、それぞれ前記ガイド突起の少なくとも先端及び前記刃部を収納し得る。
【００１３】
本発明に係るメンテナンス可能なペーパーカッターは、前記刃物部の挿入部は、その下端部からストッパーを該挿入部と直角方向に突設させ、
前記下底部を有する挿入部収納構造は、該挿入部を上下に摺動させる際に、該ストッパーが該下底部から上底部間を摺動可能な、該下底部と該上底部により画される空洞部を有し、
該刃物部を上方に引き出して、該ストッパーを該空洞部の該上底部に係止させることにより、該刃物部を使用状態とし、
該刃物部を下方に摺動させて、該ストッパーを該空洞部の該下底部にまで押し込むことにより、該刃物部を収納状態とすることができる。
【００１４】
本発明に係るメンテナンス可能なペーパーカッターは、前記刃物部の挿入部は、その下端部からストッパーを該挿入部と直角方向に突設させ、
前記下底部を有する挿入部収納構造は、該挿入部を上下に摺動させる際に、該ストッパーが該下底部から上底部間を摺動可能な、該下底部と該上底部により画される空洞部を有し、
前記空洞部の上底部と前記刃物部のストッパー間で、該刃物部の挿入部にバネを巻付けて該空洞部に該バネを封止し、
該刃物部の下端部から突設させた該ストッパーを、該空洞部の下底部にまで押し込んだ前記収納状態で自然長乃至は自然長より収縮した該バネを、該刃物部を上方に引き出して該バネを収縮させて、該刃物部を使用状態とし得る。
【００１５】
本発明に係るメンテナンス可能なペーパーカッターは、前記刃物部の挿入部は、前記複数のビスのうちの一のビスを貫通させる中空窓を有し、
該中空窓は、上下に上端部と下端部と、該上端部と該下端部間で、貫通させた該一のビスが移動可能となる移動路と、から構成され、
前記収納ケースは、該一のビスを該中空窓の移動路に貫通させて、前記収納ケースの外部から該一のビスを固定することにより、前記挿入部収納構造内で該挿入部を上下に移動自在に挟持し、
該刃物部を上方に引き出して、該一のビスを該中空窓の該下端部に係止させることにより、該刃物部を使用状態とし、
該刃物部を下方に案内して、該一のビスを該中空窓の該上端部に係止させることにより、該刃物部を収納状態とし得る。
【００１６】
本発明に係るメンテナンス可能なペーパーカッターは、前記収納ケースを非磁化材料で形成し、前記刃物部を磁化可能な材料として、該収納ケースの前記挿入部収納構造の下方に磁石を埋め込み、前記刃物部を使用状態から自動的に収納状態に復帰させるようにした。
【００１７】
本発明に係るメンテナンス可能なペーパーカッターは、前記刃物部の挿入部は、前記複数のビスのうちの一のビスを貫通させるビス貫通孔を有し、
該挿入部の下端部は、ビス貫通孔を中心とした半円形状であり、
前記収納ケースは、該一のビスを該ビス貫通孔に貫通させて、前記収納ケースの外部から該一のビスを固定することにより、前記挿入部収納構造内で、該一のビスを中心にして該挿入部を回動自在に挟持し、
前記ガイド突起の先端及び前記刃部を、それぞれ前記ガイド突起収納構造及び前記刃部収納構造に収納した収納状態から、該ガイド突起を上方に引き出すと共に該挿入部を該挿入部収納構造内で回動させることにより、該刃物部を使用状態とし得る。
【００１８】
本発明に係るペーパーカッターのメンテナンス方法は、挿入部、および、該挿入部の上方から該挿入部に対して先端を略直角方向に延伸させたガイド突起を一体成型し、該挿入部と該ガイド突起とが交差する位置に、これら両者に斜め方向を成すように刃部を設けた刃物部と、
外面と内面とを有し、該内面に凹部構造を形成した、同形の第１の把持板および第２の把持板と、
前記第１の把持板および前記第２の把持板の各々の前記内面を合わせて、各々の前記外面側から両把持板を貫通させて固定し、収納ケースを形成する複数のビスと、
を備え、
前記刃物部の挿入部を、前記第１の把持板および前記第２の把持板の内面に形成した前記凹部構造間に挟持させ、両把持板を前記複数のビスにより固定して、前記収納ケースに該刃物部を収納するペーパーカッターのメンテナンス方法であって、
（Ｓ１）前記ペーパーカッターを準備するステップと、
（Ｓ２）前記複数のビスによる固定を解除して、前記刃物部を、前記第１の把持板と前記第２の把持板間から取り出すステップと、
（Ｓ３）前記取り出した刃物部の、前記挿入部と前記ガイド突起とが交差する位置に設けた前記刃部に、砥石を当ててこれを研磨するステップと、
を含む。
【発明の効果】
【００１９】
本発明に係るメンテナンス可能なペーパーカッターは、第１の把持板及び第２の把持板に刃物部を挟持し、把持板の外側からビスを貫通させて固定して形成した収納ケースに、当該刃物部を収納して組み立て可能である。このように組み立てたペーパーカッターは、ビスを外して解体可能であり、刃部を取り出して、これを砥ぐことにより何度でも刃部をメンテナンスすることができる。
【００２０】
本発明に係るメンテナンス可能なペーパーカッターは、刃物部はガイド突起を備えるので、封書などの開口部にこれを差し込んで、ガイド突起の根元部に設けた刃部に案内し、容易に開封することができる。
【００２１】
開封を行う刃部は、刃物部のガイド突起と収納ケースに収納する挿入部とが交差するガイド突起の根元位置に、指などに触れにくいように形成し、ガイド突起の先端も丸みを設けて安全に配慮している。メンテナンス可能な本発明に係るペーパーカッターは、半永久的に使用できるため、高級なペーパーカッターとして仕上げることができ、机上などに載置して、ガイド突起をポイントとした装飾品として使用することもできる。
【００２２】
しかし、子供などが誤用する恐れがある万一の場合に備えて、本発明に係るメンテナンス可能なペーパーカッターは、ガイド突起の刃先や刃部を、収納ケースに収納し得る形態としてもよい。収納ケース内で刃物部を上下に摺動させたり、回動させたりする構成とすることで、ガイド突起の刃先や刃部を、収納ケースに収納することができる。
【００２３】
さらに、本発明に係るメンテナンス可能なペーパーカッターは、収納ケース内に設けた空洞部にバネを封止して利用したり、磁石を埋め込むことにより、刃部を露出させた使用状態から、自動的にガイド突起の刃先や刃部を収納ケースに収納した収納状態に復帰させることができる。
【図面の簡単な説明】
【００２４】
【図１】（ａ）本発明に係るペーパーカッターの平面図、（ｂ）本発明に係るペーパーカッターの側面図。
【図２】（ａ）本発明に係るペーパーカッターの側面断面図、（ｂ）刃物部の側面図、（ｃ）第１の把持板又は第２の把持板の側面図。
【図３】実施例１に係るペーパーカッターの、（ａ）使用状態における側面断面図、（ｂ）収納状態における側面断面図、（ｃ）第１の把持板又は第２の把持板の側面図。
【図４】実施例２に係るペーパーカッターの、（ａ）使用状態における側面断面図、（ｂ）収納状態における側面断面図、（ｃ）第１の把持板又は第２の把持板の側面図。
【図５】実施例３に係るペーパーカッターの（ａ）刃物部の側面図、（ｂ）第１の把持板又は第２の把持板の側面図。
【図６】実施例３に係るペーパーカッターの、（ａ）収納状態における側面断面図、（ｂ）使用状態における側面断面図。
【図７】実施例４に係るペーパーカッターの（ａ）刃物部の側面図、（ｂ）第１の把持板又は第２の把持板の側面図。
【図８】実施例４に係るペーパーカッターの、（ａ）収納状態における側面断面図、（ｂ）使用状態における側面断面図。
【図９】実施例５に係るペーパーカッターの（ａ）刃物部の側面図、（ｂ）第１の把持板又は第２の把持板の側面図。
【図１０】実施例５に係るペーパーカッターの、（ａ）収納状態における側面断面図、（ｂ）使用状態における側面断面図。
【図１１】磁石を埋め込んだ本発明に係るペーパーカッターの、（ａ）使用状態における側面断面図、（ｂ）収納状態における側面断面図。
【図１２】（ａ）従来のガイド突起付き開封用ペーパーカッターの斜視使用図、（ｂ）従来の開封用ペーパーカッターの斜視使用図。
【図１３】従来の刃部材を交換可能な封筒開封具の斜視図。
【図１４】従来の溝状ガイドを利用した開封用カッターの、（ａ）斜視使用図、（ｂ）溝状ガイドの断面図。
【図１５】従来の、刃物部を収納ケース内に収納可能な開封器の側面図。
【発明を実施するための形態】
【００２５】
以下、図面を参照しながら本発明に係るペーパーカッターの実施形態について説明する。なお、以下各図面を通して同一の構成要素には同一の符号を使用するものとする。
【００２６】
本発明に係るペーパーカッター１は、図２（ａ）〜（ｃ）に示すように、
（１）下端部１８を有する挿入部１６、および、挿入部１６の上方から当該挿入部１６に対して先端１３を略直角方向に延伸させたガイド突起１２を一体成型し、挿入部１６とガイド突起１２とが交差する位置に、これら両者に斜め方向を成すように刃部１４を設けた刃物部１０（図２（ｂ）参照）と、
（２）外面と内面とを有し、当該内面に凹部構造６０Ｌおよび６０Ｒを形成した、同形の第１の把持板５１Ｌおよび第２の把持板５１Ｒ（図２（ｃ）参照）と、
（３）第１の把持板５１Ｌおよび第２の把持板５１Ｒの各々の内面を合わせて、各々の外面側から両把持板５１Ｌ、５１Ｒを貫通させて固定し、収納ケース５０を形成する複数のビス１００（図２（ａ）参照）と、
を備える。なお、図２（ａ）〜（ｃ）を含む図面において、把持板５１Ｌ、５１Ｒの内面凹部構造などの内部構造は点線で示し、これをリファーする符号は括弧書きとしている。
【００２７】
本発明に係るペーパーカッター１は、図２（ａ）のように、刃物部１０の挿入部１６を、第１の把持板５１Ｌおよび第２の把持板５１Ｒの内面に形成した上記凹部構造６０Ｌおよび６０Ｒ間に挟持させ、両把持板５１Ｌ、５１Ｒを複数のビス１００により固定して、収納ケース５０に刃物部１０を収納する（図２（ａ）参照）。このようにして完成させたペーパーカッター１の一例の平面図を図１（ａ）に、側面図を図１（ｂ）に示す。
【００２８】
なお、図２（ａ）〜（ｃ）に示すペーパーカッター１の実施形態においては、複数のビス１００の内、一のビスは、両把持板５１Ｌ、５１Ｒをの外面に開口したビス孔５２から刃物部１０の挿入部１６に設けたビス貫通孔２２を貫通させて両把持板５１Ｌ、５１Ｒを固定する構成としているが、必ずしも挿入部１６に設けたビス貫通孔２２を貫通させる必要はなく、ビス孔５２の開口位置は適宜設計してよい。
【００２９】
本発明に係るペーパーカッター１は、使い捨ての安価なペーパーカッターや刃を順次折り棄てたり交換可能としたペーパーカッターとは異なり、複数のビス１００による固定を解除して、刃物部１０と第１の把持板５１Ｌと第２の把持板５１Ｒとに解体し、刃物部１０の刃部１４を研磨して、繰り返し刃部１４のメンテナンスを行うことができる。そのため、刃物部１０は高級な包丁やナイフなどと同様な高級素材を用いて、全体を重厚に製造し、装飾品のように用いることもできる（図１参照）。
【００３０】
ガイド突起１２と収納ケース５０の上辺間は十分に狭く、指が挟まって刃部１４に届くことがないように設計するのであれば、図１（ｂ）のように、刃部１４を収納ケース５０の外部に露出させる構成でもよい。また、ガイド突起１２の先端１３も丸みを持たせ、図１（ｂ）でいえば収納ケース５０の左端から突出させないように設計するので、誤って指を負傷するなどの危険に配慮している。
【００３１】
このような、ガイド突起１２と刃部１４を、収納ケース５０の外部に露出させた構成は、本発明に係るペーパーカッター１をメンテナンス可能な高級刃物として想定すれば、ガイド突起１２やその根元部の刃部１４などが意匠の特徴点となり、机上や棚などに載置して装飾品としても用いる場合に好適である。しかし、子供などが誤用する恐れがある万一の場合に備えて、ガイド突起１２の刃先１３や刃部１４を、収納ケース５０に収納し得る形態について、以下に実施例を用いて説明する。
【００３２】
以下、本発明に係るペーパーカッター１の実施例について説明するが、本発明はこれらの実施例に限定されるものではなく、他にも様々な実施形態をとることができる。
【００３３】
なお、実施例の説明に当たり、収納ケース５０内の収納構造５５を定義する。例えば、上記実施形態に係るペーパーカッター１において、第１の把持板５１Ｌおよび第２の把持板５１Ｒの内面に形成した上記凹部構造６０Ｌ、６０Ｒは、収納ケース５０内に収納構造５５を形成する（図２（ａ）参照）。すなわち、上記実施形態においては、第１の把持板５１Ｌおよび第２の把持板５１Ｒの各々の内面に形成した凹部構造６０Ｌおよび６０Ｒが挿入部１６を挟持し、収納ケース５０内で挿入部１６を収納する収納構造５５を形成する。この上記実施形態における収納構造５５は、以下の実施例で説明する挿入部収納構造６０に相当する。
【実施例１】
【００３４】
本実施例１に係るペーパーカッター１において、図３（ａ）を参照すると、収納構造５５は、ガイド突起１２を収納するためのガイド突起収納構造８０と、刃部１４を収納するための刃部収納構造７０と、挿入部１６を上下に摺動可能に収納するための、下底部６４を有する挿入部収納構造６０と、を有する。
【００３５】
図３（ｃ）は、第１の把持板５１Ｌ又は第２の把持板５１Ｒの側面図を表すが、その内面に形成した凹部構造を点線で示し、両把持板５１Ｌ、５１Ｒの内面を合わせてその凹部構造が形成する収納構造５５に対応させて、５５Ｌ又は５５Ｒの符合を付けている。また、収納ケース５０内部の収納構造５５を構成する挿入部収納構造６０、刃部収納構造７０、ガイド突起収納構造８０に対応させて、これらを形成する凹部構造を、それぞれ挿入部凹部構造６０Ｌ（Ｒ）、刃部凹部構造７０Ｌ（Ｒ）、ガイド突起凹部構造８０Ｌ（Ｒ）などとして符合を付けている。以下、本明細書及び図面において同様である。
【００３６】
本実施例１に係るペーパーカッター１において、収納ケース５０内に形成した挿入部収納構造６０は、図３（ｃ）に示すように、刃物部１０の挿入部１６を摺動自在に出し入れするための開口部６２を収納ケース５０の表面に、挿入通路６３と下底部６４とを収納ケース５０の内部に有する。そして、刃部収納構造７０及びガイド突起収納構造８０は、挿入部１６の下端部１８を挿入部収納構造６０の下底部６４まで下方に摺動させて収納した収納状態で、それぞれ刃部１４及びガイド突起１２の少なくとも先端１３を収納することができる（図３（ｂ）参照）。
【００３７】
本実施例１に係る刃物部１０の挿入部１６は、図３（ａ）、（ｂ）に示すように、その下端部１８からストッパー１９を当該下端部１８と直角方向に突設させている。また、下底部６４を有する挿入部収納構造６０は、挿入部１６を上下に摺動させる際に、ストッパー１９が当該下底部６４から上底部６６間を摺動可能な、下底部６４と上底部６６により画される空洞部６８を有する。
【００３８】
したがって、本実施例１のペーパーカッター１は、摘み部１５等を摘まむなどして刃物部１０を上方に引き出して、ストッパー１９を空洞部６８の上底部６６に係止させることにより、刃物部１０を使用状態とし、ガイド突起１２の先端１３を封筒などの開封口の折目に差し込んで刃部１４により開封させることができる。
【００３９】
開封作業が終了すれば、そのまま放置して装飾品として用いてもよいが、より安全を図るために、刃物部１０を下方に摺動させて、ストッパー１９を空洞部６８の下底部６４にまで押し込むことにより、刃物部１０を収納状態としてもよい。
【００４０】
なお、本実施例１では、ペーパーカッター１を図３（ａ）、（ｂ）のような形状としたので、刃物部１０を上方に引き出すための摘み部１５を設けたが、ペーパーカッター１の各要素（刃物部１０、収納ケース５０など）の形状によっては摘み部１５は特に必要ではなく、収納状態で収納ケース５０から露出しているガイド突起１２の上部などを摘まんで刃物部１０を上方に引き出す構成としてもよい。以下の実施例においても同様である。
【実施例２】
【００４１】
本実施例２では、上記実施例１のペーパーカッター１を更に発展させ、使用状態での開封作業が終了すれば、自動的に収納状態に復帰するペーパーカッター１について説明する。
【００４２】
本実施例２に係るペーパーカッター１においても上記実施例１と同様、図４（ａ）〜（ｃ）のように、刃物部１０の挿入部１６は、その下端部１８からストッパー１９を突設させ、下底部６４を有する挿入部収納構造６０は、挿入部１６を上下に摺動させる際に、ストッパー１９が下底部６４から上底部６６間を摺動可能な、当該下底部６４と当該上底部６６により画される空洞部６８を有する。
【００４３】
本実施例２に係るペーパーカッター１においては、図４（ａ）、（ｂ）のように、空洞部６８の上底部６６と刃物部１０のストッパー１９間で、当該刃物部１０の挿入部１６にバネ４０を巻付けて、当該空洞部６８に当該バネ４０を封止する。すなわち、予めバネ４０をストッパー１９上方で挿入部１６に巻付け、把持板５１Ｌ、５１Ｒの内面に形成した挿入部凹部構造６０Ｌ、６０Ｒ間に挟んで、空洞部６８内に、挿入部１６に巻付けたバネ４０を封止する。
【００４４】
刃物部１０の下端部１８から突出させたストッパー１９を、空洞部６８の下底部６４にまで押し込んだ収納状態（図４（ｂ）参照）で、バネ４０を自然長乃至は自然長より僅かに収縮した状態に設計するのが好適である。収納状態から刃物部１０を上方に引き出して当該バネ４０を収縮させ、刃部１４を収納ケース５０の外部に露出させて、刃物部１０を使用状態（図４（ａ）参照）とする。
【００４５】
使用状態において、ガイド突起１２と刃部１４は収納ケース５０の外部に露出し、ガイド突起１２と収納ケース５０の上辺部間に、封書などの紙を挟んでいる。刃部１４が当該挟んだ紙をカットして、ガイド突起１２と収納ケース５０の上辺部間に何も無くなれば、ガイド突起１２を収納ケース５０の上辺部から持ち上げる力が消失し、バネ４０は自然長に戻ろうとするので、本実施例２に係るペーパーカッター１は自動的に収納状態に復帰する。
【実施例３】
【００４６】
本実施例３に係るペーパーカッター１において、刃物部１０の挿入部１６は、図５（ａ）のように、上記複数のビス１００のうちの一のビス１０１（図５（ａ）、（ｂ）参照）を貫通させる中空窓２０を有する。中空窓２０は、上下に上端部２０Ｕと下端部２０Ｄと、当該上端部２０Ｕと当該下端部２０Ｄ間で、貫通させた当該一のビスが移動可能となる移動路と、から構成される。
【００４７】
第１の把持板５１Ｌおよび第２の把持板５１Ｒの内面に形成した上記凹部構造６０Ｌおよび６０Ｒは、最初の実施形態で用いた図２（ｃ）と同様、図５（ｂ）のように、収納ケース５０内で挿入部１６を上下に摺動可能に収納するための、開口部６２Ｌ（Ｒ）と下底部６４Ｌ（Ｒ）を有する。本実施例３に係るペーパーカッター１においては、その他、収納ケース５０の収納構造５５が、刃部収納構造７０、ガイド突起収納構造８０を有するように、凹部構造５５Ｌ（Ｒ）は、刃部凹部構造７０Ｌ（Ｒ）、ガイド突起凹部構造８０Ｌ（Ｒ）を有する。
【００４８】
また、収納ケース５０は、挿入部１６を収納した際に中空窓２０を一のビス１０１が貫通する位置に、ビス貫通孔２２（図示せず）を設けている。
【００４９】
そして、収納ケース５０は、一のビス１０１を当該中空窓２０に貫通させて、収納ケース５０の外部から当該一のビス１０１を固定することにより、挿入部収納構造６０内で挿入部１６を上下に移動自在に挟持する。
【００５０】
本実施例３に係るペーパーカッター１は、図６（ｂ）のように刃物部１０を上方に引き出して、一のビス１０１を中空窓２０の下端部２０Ｄに係止させることにより、刃物部１０を使用状態とする。また、図６（ａ）のように当該刃物部１０を下方に案内して、一のビス１０１を中空窓２０の上端部２０Ｕに係止させることにより、刃物部１０を収納状態とする。
【実施例４】
【００５１】
さらに、本実施例４では、上記実施例３のペーパーカッター１を発展させ、使用状態での開封作業が終了すれば、自動的に収納状態に復帰するペーパーカッター１について説明する。
【００５２】
本実施例４のペーパーカッター１においては、図７（ａ）のように、刃物部１０の挿入部１６の下端部からストッパー１９’を挿入部１６と直角方向に突設させる。下底部６４を有する挿入部収納構造６０は、図７（ｂ）に示す凹部構造から分かるように、挿入部１６を上下に摺動させる際に、ストッパー１９’が下底部６４から上底部６６’間を摺動可能な、当該下底部６４と当該上底部６６’により画される空洞部６８’を有する。すなわち、図７（ｂ）の凹部構造６８’Ｌ（Ｒ）が左右合わさって空洞部６８’を構成する。
【００５３】
本実施例４に係るペーパーカッター１においては、図８（ａ）、（ｂ）のように、空洞部６８’の上底部６６’と刃物部１０のストッパー１９’間にバネ４０’を挟み込んで、空洞部６８’にバネ４０’を封止する。
【００５４】
刃物部１０の下端部１８及びストッパー１９’を、挿入部収納構造６０及び空洞部６８’の下底部６４にまで押し込んだ収納状態（図８（ａ）参照）で、バネ４０’を自然長乃至は自然長より僅かに収縮した状態に設計するのが好適である。摘み部１５により、収納状態から刃物部１０を上方に引き出してバネ４０’を収縮させ、刃部１４を収納ケース５０の外部に露出させて、刃物部１０を使用状態（図８（ｂ）参照）とすればよい。使用状態での開封作業が終了すれば、バネ４０’は自然長に戻ろうとし、自動的に収納状態（図８（ａ）参照）に復帰する。
【００５５】
なお、以上の実施例１〜４において、収納ケース５０をプラスチックなどの非磁化材料で形成し、刃物部１０を磁化可能な材料として、収納ケース５０内の挿入部収納構造６０の下方に磁石を埋め込めば、刃物部１０を使用状態から自動的に収納状態（図８（ａ）参照）に復帰させることができる。例えば、図１１（ａ）、（ｂ）に示すように、挿入部１６の下端部１８に磁性体１１２を取り付け、これと対として引き合うように、収納ケース５０の下方に磁石１１０を埋め込んでもよい。
【実施例５】
【００５６】
本実施例５のペーパーカッター１において、刃物部１０の挿入部１６は、図９（ａ）に示すように、複数のビスのうちの一のビス１０２（図１０（ａ）、（ｂ）参照）を貫通させるビス貫通孔２２を有し、挿入部１６の下端部１８Ｓは、ビス貫通孔２２を中心とした半円形状である。
【００５７】
図９（ｂ）に示す把持板５１Ｌ（Ｒ）が構成する収納ケース５０は、図１０（ａ）、（ｂ）のように、一のビス１０２をビス貫通孔２２に貫通させて、収納ケース５０の外部から当該一のビス１０２を固定することにより、挿入部収納構造６０内で、当該一のビス１０２（ビス貫通孔２２）を中心にして挿入部１６を回動自在に挟持する。ガイド突起の先端１３及び刃部１４を、それぞれ上記ガイド突起収納構造８０及び上記刃部収納構造７０に収納した収納状態（図１０（ａ）参照）から、ガイド突起１２を上方に引き出すと共に挿入部１６を一のビス１０２（ビス貫通孔２２）を中心に挿入部収納構造６０内で回動させることにより、刃物部１０を使用状態（図１０（ｂ）参照）とする。
【００５８】
以上に実施例を用いて説明した本発明に係るペーパーカッター１は、上述のように、
（１）下端部１８を有する挿入部１６、および、挿入部１６の上方から当該挿入部１６に対して先端１３を略直角方向に延伸させたガイド突起１２を一体成型し、挿入部１６とガイド突起１２とが交差する位置に、これら両者に斜め方向を成すように刃部１４を設けた刃物部１０（図２（ｂ）参照）と、
（２）外面と内面とを有し、当該内面に凹部構造６０Ｌおよび６０Ｒを形成した、同形の第１の把持板５１Ｌおよび第２の把持板５１Ｒ（図２（ｃ）参照）と、
（３）第１の把持板５１Ｌおよび第２の把持板５１Ｒの各々の内面を合わせて、各々の外面側から両把持板５１Ｌ、５１Ｒを貫通させて固定し、収納ケース５０を形成する複数のビス１００（図２（ａ）参照）と、
を備えるペーパーカッター１であり、図２（ａ）のように、刃物部１０の挿入部１６を、第１の把持板５１Ｌおよび第２の把持板５１Ｒの内面に形成した凹部構造６０Ｌおよび６０Ｒ間に挟持させ、両把持板５１Ｌ、５１Ｒを複数のビス１００により固定して、収納ケース５０に刃物部１０を収納する（図２（ａ）参照）。
【００５９】
このような本発明に係るペーパーカッター１のメンテナンス方法は、
（Ｓ１）ペーパーカッター１を準備するステップと、
（Ｓ２）複数のビス１００による固定を解除して、刃物部１０を、第１の把持板５１Ｌと第２の把持板５１Ｒ間から取り出すステップと、
（Ｓ３）取り出した刃物部１０の、挿入部１６とガイド突起１２とが交差する位置に設けた刃部１４に、砥石などを当てて当該刃部１４を研磨するステップと、
を含む。
【００６０】
刃部１４の研磨が終了すれば、両把持板５１Ｌ、５１Ｒや複数のビス１００と共に、刃部１４を天日干しや清掃などして乾燥させ、あるいは消毒など行い、再度ペーパーカッター１を組み立てればよい。
【００６１】
以上、本発明に係るメンテナンス可能なペーパーカッターおよびそのメンテナンス方法について実施形態および実施例を用いて説明したが、本発明は上記実施形態等に限定されるものではない。
【００６２】
その他、本発明は、その主旨を逸脱しない範囲で当業者の知識に基づき種々の改良、修正、変更を加えた態様で実施できるものである。
【産業上の利用可能性】
【００６３】
本発明に係るメンテナンス可能なペーパーカッターは、封筒・封書等の開封に用いることができ、その他薄手の紙類を切断するのに利用することが出来る。
【符号の説明】
【００６４】
１：ペーパーカッター
１０：刃物部
１２：ガイド突起
１３：（ガイド突起の）先端
１４：刃部
１５：摘み部
１６：挿入部
１８Ｓ：（挿入部の半円状）下端部
１８：（挿入部の）下端部
１９、１９’：ストッパー
２０：中空窓
２０Ｕ：（中空窓の）上端部
２０Ｄ：（中空窓の）下端部
２２：ビス貫通孔
４０、４０’：バネ
５０：収納ケース
５１Ｌ：第１の把持板
５１Ｒ：第２の把持板
５２：ビス孔
５５：収納構造
６０：挿入部収納構造
６０Ｌ、６０Ｒ：凹部構造
６２：開口部
６３：挿入通路
６４：（挿入部収納構造及び空洞部の）下底部
６５：（挿入部収納構造の半円状の）下底部
６６、６６’：（空洞部の）上底部
６８、６８’：空洞部
７０：刃部収納構造
８０：ガイド突起収納構造
１００：複数のビス
１０１：（中空窓を貫通する）一のビス
１０２：（ビス貫通孔を貫通する）一のビス
１１０：磁石
１１２：磁性体
２０１：小刃
２０２：刃
２０３：刃部材
２０５：刃物部
２１０：ガイド突起
５００：封筒
【図１】
2016221032.tif 000003
【図２】
2016221032.tif 000004
【図３】
2016221032.tif 000005
【図４】
2016221032.tif 000006
【図５】
2016221032.tif 000007
【図６】
2016221032.tif 000008
【図７】
2016221032.tif 000009
【図８】
2016221032.tif 000010
【図９】
2016221032.tif 000011
【図１０】
2016221032.tif 000012
【図１１】
2016221032.tif 000013
【図１２】
2016221032.tif 000014
【図１３】
2016221032.tif 000015
【図１４】
2016221032.tif 000016
【図１５】
2016221032.tif 000017